(57)【特許請求の範囲】
【請求項１】
コンクリート建物の各階のスラブに設けられた開口部を覆う足場板を支持する養生足場板支持用組立体であって、
スラブの開口部周縁に配置された開口部材に取付けられるとともに、横張り出し部材を設けたクランプと、
相互に摺動自在となった２つの摺動部材を備え、両端側を前記クランプに設けた横張り出し部材に係止手段で着脱自在に取り付けられる支持ビームとを有し、
前記開口部材に装着された支持ビームの上に養生足場板を載置し得るようにしたことを特徴とする養生足場板支持用組立体。
【請求項２】
係止手段は、クランプの横張り出し部材に上下方向に貫通させて設けた透孔に、支持ビームの両端に設けた係止部材を挿入する手段であることを特徴とする請求項１に記載の養生足場板支持用組立体。
【請求項３】
支持ビームの両端に設けた係止部材は、支持ビームの両端の下部から横に突出された下フランジから下向きに突出されたピンまたはボルトで構成されていることを特徴とする請求項２に記載の養生足場板支持用組立体。
【請求項４】
支持ビームの両端に設けた係止部材は、支持ビームの両端の上部から横に突出する上フランジに下向きに取付けられるとともに、支持ビームの両端の下部から横に突出する下フランジに下向きに取付けられて、上下２箇所の係止部材を選択的に横張り出し部材の透孔に挿入し得るようにしたことを特徴とする請求項２に記載の養生足場板支持用組立体。
【請求項５】
支持ビームの両端に設けた係止部材は、支持ビームの両端の下部から横に突出する下フランジに下向きに取付けられるとともに、支持ビームの両端の上部から横に上フランジが突出されて、上下のフランジの間が連結棒又はフランジで連結されていることを特徴とする請求項２に記載の養生足場板支持用組立体。
【請求項６】
係止手段は、クランプに設けた横張り出し部材に上向きに突設させた係止部材を、支持ビームの両端側から横に突出するフランジに設けた上下方向に貫通する透孔に挿入する手段であることを特徴とする請求項１に記載の養生足場板支持用組立体。
【請求項７】
係止手段は、クランプに設けた横張り出し部材と、支持ビームの両端側から横に突出するフランジとを、ボルトで共締めする手段であることを特徴とする請求項１に記載の養生足場板支持用組立体。
【発明の詳細な説明】
【０００１】
【発明の属する技術分野】
本発明は、建設中のコンクリート建物のスラブに設けられた開口部、例えばエレベータ用の開口部を覆うための足場板を支持する養生足場板支持用組立体に関する。
【０００２】
【従来の技術】
コンクリート建物では、エレベータを設けるためにスラブに開口部が設けられ、その開口部は建築作業中に、作業者や資材の落下を防止するために、スラブの開口部を養生足場板で覆っている。
【０００３】
従来では養生足場板を支持するために、コンクリートスラブに設けられている開口部に、Ｉ型鋼などの長い足場板支持用鋼材を掛け渡し、その足場板支持用鋼材の両端を、開口部周縁のスラブ支持用鋼材のフランジの上に載せ、さらに重なり合っている足場板支持用鋼材のフランジとスラブ支持用鋼材のフランジとを、複数のクランプで挟み付けている。このようにクランプで、足場板支持用鋼材の両端をスラブ支持用鋼材に固定し、足場板支持用鋼材はスラブの開口部に適宜間隔で掛け渡して前記のように固定し、各足場板支持用鋼材の上に複数の足場板を並べて、スラブ開口部を覆っている。
【０００４】
【発明が解決しようとする課題】
上記従来の方式では、長い足場板支持用鋼材の両端を直接クランプでスラブ支持用鋼材のフランジに取付けており、その場合、足場板支持用鋼材の一端を複数のクランプで固定しなければならないので、作業性が悪く、かつスラブ開口部の足場板を取り外す場合も同様に複数のクランプを外さなければならないので作業性が悪い。
【０００５】
また、建設中のスラブ開口部内では、溶接作業や配管、配線作業などがなされるので、それらの作業で火災を発生しにくくするため、また建設終了後にスラブ開口部内での耐火性を向上するために、耐火被覆材をスラブ開口部の周縁や、スラブ支持用鋼材あるいは柱鋼材に吹き付けて覆うようにしている。しかし、その耐火被覆材をスラブ開口部内に吹き付ける際、足場板支持用鋼材を固定しているクランプも耐火被覆材で覆われてしまい、スラブ開口部内での作業が終了して、足場板をスラブ開口部から取り外す場合に、クランプを外すことができない。またクランプ周囲の耐火被覆材を取り除いて、クランプを外そうとすると、クランプ以外の部所の耐火被覆も剥れて、耐火性に問題が生じてしまう。
【０００６】
本発明の目的は、スラブ開口部を足場板で覆う場合に、足場板を支持する部材を容易にスラブ開口部に取り付けることができるとともに、建築終了後には容易に取り外しできるようにすることにある。
【０００７】
本発明の他の目的は、スラブ開口部に耐火被覆材を吹き付けても、足場板を支持する部材をスラブ開口部周縁に固定するクランプ部分をその固定位置にそのまま残し、足場板を支持する支持ビームをクランプ部分から取り外すことができるようにすることにある。
【０００８】
また、本発明の他の目的は、スラブ開口部を覆う足場板を支持するビームをスラブ開口部周縁に固定するに際してクランプを使用せず固定して、耐火被覆材の吹き付け仕上げが行い易いようにすることにある。
【０００９】
さらに、本発明の他の目的は、開口部のスラブに足場板を支持するビームを直接固定することができるようにすることにある。
【００１０】
本発明の前記ならびにその他の目的と新規な特徴は、本明細書の記述および添付図面から明らかになるであろう。
【００１１】
【課題を解決するための手段】
本発明の養生足場板支持用組立体は、コンクリート建物の各階のスラブに設けられた開口部を覆う足場板を支持する養生足場板支持用組立体であって、スラブの開口部周縁に配置された開口部材に取付けられるクランプと、前記クランプに取付けられるとともに、上下方向に貫通する透孔を有する横張り出し部材と、相互に摺動自在となった２つの摺動部材を備え、両端に前記透孔に着脱自在に挿入される係止部材が取り付けられた支持ビームとを有し、前記開口部材に装着された支持ビームの上に養生足場板を載置し得るようにしたことを特徴とする。
【００１２】
支持ビームの両端に設けた係止部材は、支持ビームの両端の下部から横に突出された下フランジから下向きに突出されたピンまたはボルトで構成することができる。また、支持ビームの両端に設けた係止部材は、支持ビームの両端の上部から横に突出する上フランジに下向きに取付けられるとともに、支持ビームの両端の下部から横に突出する下フランジに下向きに取付けられて、上下２箇所の係止部材を選択的に横張り出し部材の透孔に挿入することができる。
【００１３】
さらに支持ビームの両端に設けた係止部材は、支持ビームの両端の下部から横に突出する下フランジに下向きに取付けられるとともに、支持ビームの両端の上部から横に上フランジが突出されて、上下のフランジの間が連結棒またはフランジで連結された構成にすることができる。
【００１４】
このような養生足場板支持用組立体にあっては、足場板つまり養生足場板をスラブ開口部に掛け渡す場合は、スラブ開口部周縁の対向する２箇所にクランプをそれぞれ取り付ける。その状態ではクランプに取付けられている横張り出し部材の透孔は上下方向に貫通されており、伸縮可能な支持ビームの長さを調整して、その両端の係止部材を前記の対向する透孔に上から挿入させて支持ビームをスラブ開口部に掛け渡した状態に固定できる。したがって、重量の大きな支持ビームをその固定のために位置を上下にあるいは水平に移動調整する必要がない。この場合、支持ビームの両端の係止部材は、クランプ側の透孔に上から挿入させられる構成にしているので、支持ビームの両端の係止部材をクランプ側の透孔に容易に挿入させることができる。
【００１５】
さらにスラブ開口部の周縁に対向するクランプを固定し、それらの間に長さを調整した支持ビームの両端を固定させて複数の支持ビームを適宜間隔で配置固定すれば、それらの上に複数の足場板を、支持ビームに保持させて、スラブ開口部を覆うことができる。なお、支持ビームの上面高さは、スラブの上面と一致するようにして、後記する足場板の最外周部に配列される足場板を、スラブと支持ビームとの間に水平に支持するようにしている。
【００１６】
建設作業が進みスラブ開口部を覆っている足場板を取り除く場合は、足場板を外した後、水平ビームの両端を持ち上げれば、その係止部材とクランプに取付けられている横張り出し部材の透孔との係合が外れ、支持ビームをクランプ側から外して、別個に運ぶことができる。
【００１７】
次に、スラブ開口部の周縁に取付けていたクランプを外すことにより足場板の支持構造を全て撤去することができる。しかし、スラブ開口部の周縁に耐火被覆材が吹き付けられて、クランプも耐火被覆材で覆われている場合は、クランプ部分の耐火被覆材を取り除くと他の部所の耐火被覆材が剥れるので、クランプを外すことなくそのまま埋め殺しにして、支持ビームのみを撤去する。
【００１８】
特に、スラブの開口部周縁に配置された開口部材の開口側への張り出し部分（Ｉ型鋼のフランジなど）にナットなど受孔部材を設けておき、支持ビームの両端側のフランジに設けたボルト又はピンなどの受孔挿入部材を通して係止するようにすれば、受孔部材はクランプよりコンパクトに構成できるので、耐火被覆材で覆うに際しても覆いやすく、且つ覆った面を平に仕上げ易い。
【００１９】
さらに、開口部のスラブ側面に張出部材を取り付けて、この張出部材に支持ビームの両端側のフランジを係止するようにすれば、例えばＩ型鋼などの開口部材を使用せずにスラブに支持ビームの取付けが簡単にできる。クランプなど使用して支持ビームの取付けを行う場合より作業が簡便になる。
【００２０】
【発明の実施の形態】
本発明の養生足場板支持用組立体をその実施の形態に基づいて、以下詳細に説明する。
【００２１】
（実施の形態１）
図１〜図４は、本発明の一実施の形態である養生足場板支持用組立体を示す図であり、図示する養生足場板支持用組立体は、コンクリート建物の各階のスラブに設けられたエレベータ用の開口部を足場板つまり養生足場板により覆う際に使用される。
【００２２】
この組立体は、上下方向の透孔１を有する横張り出し部材２を有するとともに、スラブ支持用の型鋼材Ｓの上フランジＦを挟みつけるようにしたクランプ３と、一対のクランプ３の間に配置される支持ビーム４とを有し、それぞれクランプ３が取り付けられた２つの横張り出し部材２に対して、それぞれの透孔１の部分で支持ビーム４の両端部を着脱自在に取り付けることができる。
【００２３】
クランプ３は、図３に示すように、断面コの字形のクランプ本体３ａを有し、この下部には押し付けボルト５がねじ結合されており、その先端には当て板５ａが取付けられている。その押し付けボルト５のねじ結合により、スラブ開口部の周縁に配置された開口部材としての型鋼材Ｓの上フランジＦは、クランプ本体３ａの上部と当て板５ａとにより挟み付けられ、クランプ３は型鋼材Ｓに固定されるようになっている。本実施の形態では、図２に示すように、クランプ３は型鋼材Ｓのうち開口部を介して対向する部分に２つ固定されるようになっている。
【００２４】
それぞれのクランプ３には、上下方向に貫通する透孔１を有する横張り出し部材２が取り付けられ、支持ビーム４の両端部の係止部材８が着脱自在に挿入されるようになっている。なお、図示する横張り出し部材２は、図１に示されるように断面Ｌ字形にされて、クランプ３のクランプ本体３ａの中央部外面に断面Ｌ字形の上下方向を向いた１つの辺部が溶接により取り付けられ、他の水平方向の辺部が横に張り出した状態になって、その辺部に透孔１が上下方向の向きに形成されている。
【００２５】
支持ビーム４は、図４（ａ）に示すように、外側摺動部材４ａとこの内側の内側摺動部材４ｂとを有しており、それぞれほぼ断面ロの字形状をなし、垂直方向の１つの辺には長手方向にスリットが形成されている。両方の摺動部材４ａ，４ｂは相互にスライド可能となっており、一方を他方にスライドさせることにより支持ビーム４は全体的に伸縮自在となっている。伸縮させることにより所定の長さが設定された支持ビーム４の全長を固定するために、外側摺動部材４ａには内側摺動部材４ｂを締結するための固定ボルト９が図１に示すように設けられている。この固定ボルト９がねじ結合されるナット９ａが、図４に示すように、外側摺動部材４ａに溶接されている。そして、その固定ボルト９は外側摺動部材４ａの周壁を貫通して内部の内側摺動部材４ｂを押し付けて内側摺動部材４ｂが外側摺動部材４ａに対して移動しないようにすることで、伸縮筒の長さを固定できるようになっている。また、支持ビーム４の両端には下フランジ１０がそれぞれ支持ビーム４の長手方向に突出され、各下フランジ１０の下方には係止部材８が突出されている。
【００２６】
また、上記構成の外側摺動部材４ａは、ほぼ断面ロの字型形状で長手方向にスリットが形成された構成のものを使用したが、図４（ｂ）に示すように、角形筒状に形成したものを使用してもよい。この方が、外側摺動部材４ａの強度をあげることができる。
【００２７】
なお、内側摺動部材４ｂとしては、図示する断面形状の型鋼材を使用することなく、みぞ形鋼に山形鋼を溶接接合して、ほぼ図示する断面形状に近い部材を使用するようにしても良い。また、それぞれの摺動部材４ａ，４ｂを断面ロの字形状の部材を使用するようにしても良い。さらに、外側摺動部材４ａに形成されたスリットには、長手方向に所定の間隔毎に補強プレート４ｃを接合するようにしても良い。
【００２８】
下フランジ１０は、支持ビーム４の両端面を補強する補強板１１と一体となった不等辺山形鋼あるいは等辺山形鋼によって形成され、その補強板１１が支持ビーム４の両端面に溶接で取り付けられることにより、下フランジ１０が横に突出している。
【００２９】
支持ビーム４の上面高さは、図１に示すように、スラブ開口部Ｍの周囲のスラブの高さとほぼ一致するようにされ、足場板Ｐを支持ビーム４とスラブとの間に掛け渡した状態で水平に保持できるようにしている。
【００３０】
係止部材８は、クランプ側の横張り出し部材２に設けた透孔１に上から挿入されて支持ビーム４を固定するものであり、支持ビーム４を外す場合は支持ビーム４の両端を持ち上げて係止部材８を透孔１から抜き出すようにすればよい。係止部材８は、直線状のピンあるいはボルトなどのねじ部材でもよく、ねじ部材の場合は下からナットをねじ込んで横張り出し部材２を挟み付けることができる。
【００３１】
支持ビーム４の外側摺動部材４ａと内側摺動部材４ｂは、ともに断面長方形であり、それらの上面が水平となるように横張り出し部材２に固定されて、支持ビーム４の上面に足場板Ｐを安定に支持できるようになっている。
【００３２】
図１〜図３に示す支持ビーム４は、その両端の下部に下フランジ１０が横に突出されて係止部材８が取り付けられているが、図５（ａ）に示すように支持ビーム４の両端に、下フランジ１０と上フランジ１２と補強板１１とが一体に形成され、断面コの字形状となったみぞ形鋼を、両方のフランジ１０，１２を突出させるようにして溶接により取り付けるようにしても良い。この場合には、上フランジ１２から第２の係止部材８ａを下向きに設けて、上下２つの係止部材８，８ａを選択することにより高さの異なる状態に足場板Ｐを支持することができるようになっている。この場合には、第２の係止部材８ａは、上フランジ１２と下フランジ１０との間隔の１／２程度の長さとされ、横張り出し部材２の透孔１に係止部材８ａを挿入できるようになっている。
【００３３】
また、図５（ａ）における第２の係止部材８ａに代えて、図５（ｂ）に示すように上フランジ１２と下フランジ１０とを連結部材１３で連結して、強度を増すとともにその部分を手で持って運搬し易くしても良い。
【００３４】
さらに、上下のフランジ１２，１０を連結部材１３で連結する代わりに、図５（ｃ）に示すように、上下方向の板材１４で上下のフランジ１２，１０を連結することにより、支持ビーム４の両端に断面四辺形の補強部を形成するようにしても良い。さらに、図５（ｄ）に示すように、上下のフランジ１２，１０の間に連結部材１３や板材１４などを設けないようにしても良い。
【００３５】
また、上記実施の形態では、係止部材８を支持ビーム４の両端側の下フランジ１０又は上フランジ１２に設けるように構成したが、図６（ａ）に示すように、クランプ３の横張り出し部材２に係止部材８ｂを上に向けて突設させておき、支持ビーム４の両端側の下フランジ１０の透孔１に係止部材８ｂを通して係止させるようにしても構わない。
【００３６】
あるいは、図６（ｂ）に示すように、横張り出し部材２および下フランジ１０の双方に透孔１を設けておき、固定ボルト１５およびナット１５ａで双方を共締めにして固定するようにしても構わない。
【００３７】
さらには、図６（ｃ）に示すように、支持ビーム４の端部に上フランジ１２と下フランジ１０とが補強板１１で断面コの字形状となったみぞ型鋼の両フランジに透孔１を設けておき、これに前記クランプ３の横張り出し部材２の係止部材８ｂを通して係止させるようにしても構わない。但し、この場合には、前記上フランジ１２の張り出し位置を、支持ビーム４の上端より係止部材８ｂの長さ分下側に設定する必要がある。このように設定することにより、上フランジ１２を選択して係止した場合でも、足場板Ｐの裏側が係止部材８ｂに当たらずに通常通りに平らに載置することができる。
【００３８】
また、支持ビーム４の両端側に設けた断面コの字形状となったみぞ型鋼の下フランジ１０にのみ透孔１を設けておいても構わない。この場合には、図７に示すように、開口部の型鋼材Ｓに取り付けたクランプ３の横張り出し部材２の係止部材８ｂを前記透孔１に通して、支持ビーム４を取り付けることができる。
【００３９】
なお、図７では、支持ビーム４の外側摺動部材４ａと内側摺動部材４ｂとの固定を、固定ボルト９の代わりにハンドルの回転により先端をねじ込んで固定する固定ねじ９ｂが使用されている。
【００４０】
次に、このような養生足場板支持用組立体を用いてスラブ開口部Ｍを足場板Ｐで覆う手順を図２を参照しつつ説明する。
【００４１】
スラブ開口部Ｍの周縁にはスラブ支持用の型鋼材Ｓが配置されており、そのスラブ支持用の型鋼材Ｓの上フランジＦにクランプ３を押し付けた状態で、押し付けボルト５をねじ込んでクランプ３を上フランジＦに締結する。そのときには、適宜間隔に配置される支持ビーム４の両端部に対応する位置に、それぞれクランプ３を取付けることになる。つまり、図１の紙面に垂直な方向に所定の間隔毎に対をなしてクランプ３を取り付けることになる。取り付けられたクランプ３には、予め、それぞれ横張り出し部材２が取り付けられており、各横張り出し部材２には上下方向の透孔１が設けられている。
【００４２】
支持ビーム４の長さは、一対のクランプ３の間の間隔に対応させて長さ調整され、押し付けボルト５でその長さを固定し、支持ビーム４の両端の係止部材８をクランプ３に設けた横張り出し部材２の透孔１に上から挿入させることで、支持ビーム４を一対のクランプ３の間に固定することができる。同様にして、次々に他の一対のクランプ３の間の長さに相当するように支持ビーム４の長さを調節した後に、両端の係止部材８をクランプ３に設けた横張り出し部材２の透孔１に挿入させて、複数の支持ビーム４を開口部に固定する。
【００４３】
このようにして固定した複数の支持ビーム４の上に、複数の足場板Ｐを連続して並べることにより、スラブ開口部Ｍを覆うことができる。なお、支持ビーム４の高さは、その両端の係止部材８を横張り出し部材２の透孔１に挿入して固定した状態で、スラブの上面とほぼ一致するよう形成されている。
【００４４】
上記のようにスラブ開口部Ｍを足場板Ｐで覆った状態で、スラブ開口部Ｍの中に耐火被覆材を吹き付けると、クランプ３の部分も耐火被覆材で覆われる。建設作業が進み、スラブ開口部Ｍから足場板Ｐを取り除く場合は、支持ビーム４を持ちあげることにより支持ビーム４の両端の係止部材８をクランプ３に取付けた横張り出し部材２の透孔１から抜き出して、支持ビーム４をクランプ側から分離して撤去することができる。なお、耐火被覆材で覆われたクランプ３は、そのまま残しても、邪魔にならないので、埋め殺しにしても良い。また、耐火被覆材がクランプ３を覆っていない場合には、クランプ３をも外すようにしても良い。
【００４５】
（実施の形態２）
本実施の形態では、前記実施の形態とは異なり、支持ビーム４の下フランジ１０を、クランプ３を使用せずに、Ｉ型鋼材の上フランジＦに係止手段で直接係止する養生足場板支持用組立体である。
【００４６】
図８に示すように、本実施の形態では、支持ビーム４の端部には、下フランジ１０と上フランジ１２とが補強板１１で連結されてコの字形状に形成されたみぞ型鋼を、上記両フランジ１０、１２が横に張り出すように溶接で取り付けられている。さらに、下フランジ１０には、固定ボルト１８ａが通せる透孔１が設けられている。
【００４７】
一方、スラブの開口部周縁には、開口部材として型鋼材Ｓが配置されている。本実施の形態では、型鋼材ＳとしてＩ型鋼が使用されている。型鋼材Ｓの開口側への張り出し部分である上フランジＦに、受孔部材１６が溶接されて設けられている。受孔部材１６は、断面コの字形状のみぞ型鋼からなり、上フランジ１７に前記支持ビーム４の下フランジ１０に設けたと同様の透孔１が受孔として設けられている。
【００４８】
かかる構成の支持ビーム４の下フランジ１０の透孔１と、受孔部材１６の上フランジ１７の透孔１とを位置合わせして、両者を受孔挿入部材１８として固定ボルト１８ａを通してナットで固定すれば、スラブ開口部の開口部材と支持ビーム４とを、クランプ３を使用せずに直接固定することができる。
【００４９】
このようにして両者を固定した状態では、図９に示すように、受孔部材１６の側面まで耐火被覆材１９を設けておいても、支持ビーム４を取り外すときに受孔部材１６をそのまま埋め殺しにすれば、耐火被覆材１９を剥がさずに取り除くことができる。
【００５０】
また、図１０に示すように、上フランジＦ上に、耐火被覆材１９の塗布厚さに合わせた高さのボルト受けピース１６ａを受孔部材１６として溶接で固定しておく。このボルト受けピース１６ａは、略円筒状に形成されており、内部に固定ボルト１８ａと丁度螺合可能なナット１８ｂが溶接固定されている。
【００５１】
かかるボルト受けピース１６ａ上に上記構成の支持ビーム４の下フランジ１０の透孔１を合わせ、その状態で固定ボルト１８ａを通して締めつければ、支持ビーム４と開口部材の張り出し部分である上フランジＦとを連結固定することができる。
【００５２】
また、図１１に示すように、Ｌ型鋼を短く切断したアングル材の内側にナット１６ｂを溶接固定しておき、さらにこのＬ型鋼を上フランジＦ上に溶接して受孔部材１６として構成しても構わない。かかる受孔部材１６に前記要領で支持ビーム４の下フランジ１０の透孔１を合わせて、受孔挿入部材１８として固定ボルト１８ａをねじ込みながら通せば、簡単に支持ビーム４を開口部材の張り出し部分である上フランジＦと連結固定することができる。
【００５３】
また、上記実施の形態では、受孔部材１６としてボルト受けピース１６ａやナット１６ｂを使用したが、スリーブなどの筒状部材を使用して、受孔挿入部材１８としてピンが使用できるようにしても構わない。ボルトの螺合に比べて簡単に固定することができる。
【００５４】
さらに上記実施の形態では、型鋼材Ｓとして使用するＩ型鋼の上フランジＦに受孔部材１６を設け、これに支持ビーム４の両端側の下フランジ１０の透孔１を合わせ、両者を受孔挿通部材１８で固定するようにしたが、上フランジＦに予めボルト孔を設けておき、支持ビーム４の両端に設けた下フランジ１０の透孔と位置合わせして両者をボルトで共締めするようにして取り付ける構成も考えられる。
【００５５】
（実施の形態３）
本実施の形態では、各階のコンクリート製のスラブに支持ビーム４の両端側を取り付けるようにした構成について説明する。スラブ開口部Ｍの側面２０に、Ｌ型鋼を短く切断して形成された張出部材２１を、図１２に示すように、コンクリートボルト２２で固定する。Ｌ型鋼製の張出部材２１は、その一方のフランジ２１ａにコンクリートボルト２２用の２個のボルト孔が設けられ、他方のフランジ２１ｂには係止部材２３が上方に突設させられている。
【００５６】
一方、支持ビーム４は前記実施の形態１で述べたように両端側に設けた断面コの字形状のみぞ型鋼の下フランジ１０に透孔１を設けておき、この透孔１に上記スラブ側面２０に取り付けた張出部材２１のフランジ２１ｂの係止部材２３を通せば、スラブ側面２０に支持ビーム４の取付けが簡単にできる。この様子を、図１２に示した。支持ビーム４の両端側に設ける透孔１を有するフランジ部分の構成は、みぞ型鋼以外にも、前記実施の形態２の説明中の図６、７に示す各種の構成を使用しても構わない。
【００５７】
また、図１３に示すように、張出部材２１のフランジ２１ｂ側に透孔１を設けておき、前記実施の形態１で説明したように、支持ビーム４の両端側に設けた下フランジ１０の係止部材８を通すようにして係止させても構わない。支持ビーム４の両端側に設けるフランジ部分の構成は、前記実施の形態１の説明中の図５に示す各種の構成を使用しても構わない。
【００５８】
さらには、張出部材２１と下フランジ１０の両方に透孔１を設けておき、張出部材２１と支持ビーム４の下フランジ１０とをボルトで共締めにしても構わない。
【００５９】
【発明の効果】
本願において開示される発明のうち、代表的なものによって得られる効果を簡単に説明すれば、以下のとおりである。
【００６０】
（１）．本発明の養生足場板支持用組立体は、上下方向の透孔を有する横張り出し部材を有するクランプと、前記透孔に挿入される係止部材を両端に有する支持ビームとを別体に形成しているので、スラブ開口部を足場板で覆う際に、スラブ開口部の周縁側にクランプを取付けておき、その後に、支持ビーム両端の係止部材を、クランプに設けられている横張り出し部材の透孔に上から挿入させることで容易に支持ビームを固定することができ、支持ビームを外す場合も、支持ビームを持ち上げれば容易に係止部材と透孔の係合を外して分離でき、足場板の組み付け取り外しが容易である。
【００６１】
（２）．本発明では、クランプが耐火被覆材で覆われた場合には、クランプは残して、支持ビームだけを簡単に外すことができる。
【００６２】
（３）．本発明では、支持ビームは伸縮筒に形成されているので、スラブ開口部の大きさに対して調整することができ、異なる大きさのスラブ開口部において本発明の足場板支持構造を適用することができる。
【００６３】
（４）．本発明では、支持ビームの両端にそれぞれ２つの係止部材を取付けることにより、足場板の支持高さを変更選択することができる。
【００６４】
（５）．本発明では、支持ビームの両端に上下のフランジを設けて連結棒やフランジで結合することにより、強度が増しかつその部分を手に持って運び易くすることができる。
【００６５】
（６）．本発明では、スラブ開口部周縁の開口部材の張り出し部分と、支持ビームの端部とを簡単な構成の受孔部材と受孔挿入部材とで、クランプを使用せずに係止できるので、クランプを使用する場合に比べて、作業がより簡単で、且つ耐火被覆材で覆うに際しても受孔部材を小型化できるので埋め殺しにし易く、耐火被覆仕上げがし易い。
【００６６】
（７）．本発明では、スラブ開口部周縁の開口部材を一切使用せずに、各階のスラブ開口側面に張出部材を介して取り付けることができる。そのため、開口部材に使用する型鋼材の使用に際しては、支柱ビームの取り付けに係わるクランプなどの止めに配慮する必要がなく、例えば、クランプ止めの難しい狭い幅のフランジの型鋼材など、種々の形式の型鋼材の選択が行える。
【図面の簡単な説明】
【図１】本発明の一実施の形態である養生足場板支持用組立体を示す一部切り欠き正面図である。
【図２】図１に示す養生足場板支持用組立体の斜視図である。
【図３】図１に示す養生足場板支持用組立体の要部正面図である。
【図４】（ａ）は、図１におけるＩＶ−ＩＶ線に沿う断面図である。（ｂ）は、外側摺動部材を筒状に形成した場合を示す断面図である。
【図５】（ａ）〜（ｄ）はそれぞれ他の実施の形態である養生足場板支持用組立体を示す要部正面図である。
【図６】（ａ）〜（ｃ）は、それぞれ他の実施の形態である養生足場板支持用組立体を示す要部正面図である。
【図７】他の実施の形態である養生足場板支持用組立体を示す側面図である。
【図８】クランプを使用せずに他の実施の形態である養生足場板支持用組立体を示す要部斜視図である。
【図９】図８で示す養生足場板支持用組立体を示す要部側面図である。
【図１０】他の実施の形態を示す養生足場板支持用組立体を示す要部側面図である。
【図１１】（ａ）は、他の実施の形態の受孔部材の取付け状況を示す斜視図である。（ｂ）は、（ａ）に示す受孔部材を使用した養生足場板支持用組立体を示す要部側面図である。
【図１２】（ａ）は、支持ビームを張出部材を介してスラブに係止させる様子を示した正面図である。（ｂ）は、張出部材の正面図である。
【図１３】張出部材を介して支持ビームをスラブに係止させる構成の変形例を示す要部側面図である。
【符号の説明】
１    透孔
２    横張り出し部材
３    クランプ
３ａ  クランプ本体
４    支持ビーム
４ａ  外側摺動部材
４ｂ  内側摺動部材
５    押し付けボルト
５ａ  当て板
８    係止部材
８ａ  係止部材
８ｂ  係止部材
９    固定ボルト
９ａ  ナット
９ｂ  固定ねじ
１０    下フランジ
１１    補強板
１２    上フランジ
１３    連結部材
１４    板材
１５    固定ボルト
１５ａ  ナット
１６    受孔部材
１６ａ  ボルト受ピース
１６ｂ  ナット
１７    上フランジ
１８    受孔挿入部材
１８ａ  固定ボルト
１９    耐火被覆材
２０    スラブ側面
２１    張出部材
２１ａ  フランジ
２１ｂ  フランジ
２２    コンクリートボルト
２３    係止部材
Ｆ    上フランジ
Ｍ    スラブ開口部
Ｐ    足場板
Ｓ    型鋼材
【図１】
0003751708.tif 000002
【図２】
0003751708.tif 000003
【図３】
0003751708.tif 000004
【図４】
0003751708.tif 000005
【図５】
0003751708.tif 000006
【図６】
0003751708.tif 000007
【図７】
0003751708.tif 000008
【図８】
0003751708.tif 000009
【図９】
0003751708.tif 000010
【図１０】
0003751708.tif 000011
【図１１】
0003751708.tif 000012
【図１２】
0003751708.tif 000013
【図１３】
0003751708.tif 000014